(57)【要約】  ここでの実施形態は、ワイヤレス通信ネットワーク（１）において第１の無線ネットワークノード（１２）と第２の無線ネットワークノード（１３）との間のワイヤレスデバイス（１０）のモビリティ手続を可能にするための、第２の無線ネットワークノード（１３）により実行される方法に関連する。第２の無線ネットワークノード（１３）は、接続済みのワイヤレスデバイスについて第２の無線ネットワークノードにおいて使用されるアクティブなビームのセットを判定し、第１の無線ネットワークノード（１２）へ標識を送信する。標識は、判定されるアクティブなビームのセットを指し示す。アクティブなビームのセットは、ワイヤレスデバイス（１０）のモビリティ手続において使用される。【選択図】図３
2018531540.tif 000002
【特許請求の範囲】
【請求項１】
ワイヤレス通信ネットワーク（１）において第１の無線ネットワークノード（１２）と第２の無線ネットワークノード（１３）との間のワイヤレスデバイスのモビリティ手続を可能にするための、前記第２の無線ネットワークノード（１３）により実行される方法であって、
接続済みのワイヤレスデバイスについて前記第２の無線ネットワークノード（１３）において使用されるアクティブなビームのセットを判定すること（４０１）と、
前記第１の無線ネットワークノード（１２）へ、判定される前記アクティブなビームのセットを指し示す標識を送信すること（４０５）と、前記アクティブなビームのセットが前記ワイヤレスデバイス（１０）の前記モビリティ手続において使用されることと、
を含む方法。
【請求項２】
前記アクティブなビームのセットが前記第１の無線ネットワークノード（１２）に適合すると判定すること（４０４）、
をさらに含む、請求項１に記載の方法。
【請求項３】
無線ネットワークノードとアクティブなビームのセットとの関係を含むテーブルを構築し及び／又は維持すること（４０３）、
をさらに含む、請求項１〜２のいずれかに記載の方法。
【請求項４】
前記アクティブなビームのセットが前記第１の無線ネットワークノードに適合すると前記判定すること（４０４）は、構築され及び／又は維持される前記テーブルに基づいてなされる、請求項２及び請求項３に記載の方法。
【請求項５】
前記標識は、テーブル内の前記アクティブなビームのセットのインデックスであり、又は、前記アクティブなビームのセット内の各ビームを指し示す明示的なエンコードである、請求項１〜４のいずれかに記載の方法。
【請求項６】
前記送信すること（４０５）は、前記第２の無線ネットワークノード（１３）において前回使用されたアクティブなビームのセットからの、前記アクティブなビームのセットにおける変化が存在する場合にのみ実行される、請求項１〜５のいずれかに記載の方法。
【請求項７】
前記ビームのうちのいずれかの特性における変化が存在する場合に、前記アクティブなビームのセットが変化したと判定すること（４０２）、
をさらに含む、請求項６に記載の方法。
【請求項８】
アクティブなビームのセットの前記標識の提供を求める要求を前記第１の無線ネットワークノード（１２）から受信すること（４００）、
をさらに含む、請求項１〜７のいずれかに記載の方法。
【請求項９】
ワイヤレス通信ネットワーク（１）において第１の無線ネットワークノード（１２）と第２の無線ネットワークノード（１３）との間のワイヤレスデバイス（１０）のモビリティ手続を可能にするための、前記第１の無線ネットワークノード（１２）により実行される方法であって、
前記第２の無線ネットワークノード（１３）から、前記第２の無線ネットワークノード（１３）において接続済みのワイヤレスデバイスについて前記第２の無線ネットワークノード（１３）において使用されるアクティブなビームのセットを指し示す標識を受信すること（５０１）と、
前記アクティブなビームのセット内の測定を実行すべき１つ以上のビームを指し示す測定情報を前記ワイヤレスデバイス（１０）へ送信すること（５０３）と、前記測定情報が前記ワイヤレスデバイス（１０）の前記モビリティ手続において使用されることと、
を含む方法。
【請求項１０】
前記アクティブなビームのセット内の前記１つ以上のビームの測定レポートを前記ワイヤレスデバイス（１０）から受信すること（５０４）、
をさらに含む、請求項９に記載の方法。
【請求項１１】
指し示される前記アクティブなビームのセット内の前記１つ以上のビームが、前記ワイヤレスデバイス（１０）に適合すると判定すること（５０２）、
をさらに含む、請求項９〜１０のいずれかに記載の方法。
【請求項１２】
無線ネットワークノードとビームとの関係を含むテーブルを構築し及び／又は維持すること（５０５）、
をさらに含む、請求項９〜１１のいずれかに記載の方法。
【請求項１３】
前記１つ以上のビームが前記ワイヤレスデバイス（１０）に適合すると前記判定すること（５０２）は、構築され又は更新される前記テーブルに基づいてなされる、請求項１２に記載の方法。
【請求項１４】
前記標識は、テーブル内の前記アクティブなビームのセットのインデックスであり、又は、前記アクティブなビームのセット内の各ビームを指し示す明示的なエンコードである、請求項９〜１３のいずれかに記載の方法。
【請求項１５】
アクティブなビームのセットの前記標識の提供を求める要求を前記第２の無線ネットワークノード（１３）へ送信すること（５００）、
をさらに含む、請求項９〜１４のいずれかに記載の方法。
【請求項１６】
ワイヤレス通信ネットワーク（１）において第１の無線ネットワークノード（１２）と第２の無線ネットワークノード（１３）との間のワイヤレスデバイスのモビリティ手続を可能にするための、前記第２の無線ネットワークノード（１３）であって、
接続済みのワイヤレスデバイスについて前記第２の無線ネットワークノード（１３）において使用されるアクティブなビームのセットを判定し、
前記第１の無線ネットワークノード（１２）へ、判定される前記アクティブなビームのセットを指し示す標識を送信する、
ように構成され、前記アクティブなビームのセットが前記ワイヤレスデバイス（１０）の前記モビリティ手続において使用される、
第２の無線ネットワークノード（１３）。
【請求項１７】
前記アクティブなビームのセットが前記第１の無線ネットワークノード１２に適合すると判定する、ようにさらに構成される、請求項１６に記載の第２の無線ネットワークノード（１３）。
【請求項１８】
無線ネットワークノードとアクティブなビームのセットとの関係を含むテーブルを構築し及び／又は維持する、
ようにさらに構成される、請求項１６〜１７のいずれかに記載の第２の無線ネットワークノード（１３）。
【請求項１９】
構築され及び／又は維持される前記テーブルに基づいて、前記アクティブなビームのセットが前記第１の無線ネットワークノード１２に適合すると判定する、ようにさらに構成される、請求項１７及び１８に記載の第２の無線ネットワークノード（１３）。
【請求項２０】
前記標識は、テーブル内の前記アクティブなビームのセットのインデックスであり、又は、前記アクティブなビームのセット内の各ビームを指し示す明示的なエンコードである、請求項１６〜１９のいずれかに記載の第２の無線ネットワークノード（１３）。
【請求項２１】
前記第２の無線ネットワークノード（１３）において前回使用されたアクティブなビームのセットからの、前記アクティブなビームのセットにおける変化が存在する場合にのみ前記標識を送信する、ように構成される、請求項１６〜２０のいずれかに記載の第２の無線ネットワークノード（１３）。
【請求項２２】
前記ビームのうちのいずれかの特性における変化が存在する場合に、前記アクティブなビームのセットが変化したと判定する、ようにさらに構成される、請求項２１に記載の第２の無線ネットワークノード（１３）。
【請求項２３】
アクティブなビームのセットの前記標識の提供を求める要求を前記第１の無線ネットワークノード（１２）から受信する、ようにさらに構成される、請求項１６〜２２のいずれかに記載の第２の無線ネットワークノード（１３）。
【請求項２４】
ワイヤレス通信ネットワーク（１）において第１の無線ネットワークノード（１２）と第２の無線ネットワークノード（１３）との間のワイヤレスデバイス（１０）のモビリティ手続を可能にするための、前記第１の無線ネットワークノード（１２）であって、
前記第２の無線ネットワークノード（１３）から、前記第２の無線ネットワークノード（１３）において接続済みのワイヤレスデバイスについて前記第２の無線ネットワークノード（１３）において使用されるアクティブなビームのセットを指し示す標識を受信し、
前記アクティブなビームのセット内の測定を実行すべき１つ以上のビームを指し示す測定情報を前記ワイヤレスデバイス（１０）へ送信する、
ように構成され、前記測定情報が前記ワイヤレスデバイス（１０）の前記モビリティ手続において使用される、
第１の無線ネットワークノード（１２）。
【請求項２５】
前記アクティブなビームのセット内の前記１つ以上のビームの測定レポートを前記ワイヤレスデバイス（１０）から受信する、
ようにさらに構成される、請求項２４に記載の第１の無線ネットワークノード（１２）。
【請求項２６】
指し示される前記アクティブなビームのセット内の前記１つ以上のビームが、前記ワイヤレスデバイス（１０）に適合すると判定する、
ようにさらに構成される、請求項２４〜２５のいずれかに記載の第１の無線ネットワークノード（１２）。
【請求項２７】
無線ネットワークノードとビームとの関係を含むテーブルを構築し及び／又は維持する、ようにさらに構成される、請求項２４〜２６のいずれかに記載の第１の無線ネットワークノード（１２）。
【請求項２８】
構築され又は更新される前記テーブルに基づいて、指し示される前記アクティブなビームのセット内の前記１つ以上のビームが前記ワイヤレスデバイス（１０）に適合すると判定する、ように構成される、請求項２７に記載の第１の無線ネットワークノード（１２）。
【請求項２９】
前記標識は、テーブル内の前記アクティブなビームのセットのインデックスであり、又は、前記アクティブなビームのセット内の各ビームを指し示す明示的なエンコードである、請求項２４〜２８のいずれかに記載の第１の無線ネットワークノード（１２）。
【請求項３０】
アクティブなビームのセットの前記標識の提供を求める要求を前記第２の無線ネットワークノード（１３）へ送信する、ようにさらに構成される、請求項２４〜２９のいずれかに記載の第１の無線ネットワークノード（１２）。
【発明の詳細な説明】
【技術分野】
【０００１】
ここでの実施形態は、ワイヤレス通信のための、第１の無線ネットワークノード、第２の無線ネットワークノード、及びそれらにおいて実行される方法に関連する。具体的には、ここでの実施形態は、ワイヤレス通信ネットワークにおいて第１の無線ネットワークノードと第２の無線ネットワークノードとの間のワイヤレスデバイスのモビリティ手続を可能にすることに関連する。
【背景技術】
【０００２】
典型的なワイヤレス通信ネットワークにおいて、ワイヤレス通信デバイス、移動局、ステーション（ＳＴＡ）及び／又はユーザ機器（ＵＥ）としても知られるワイヤレスデバイスは、１つ以上のコアネットワークへ無線アクセスネットワーク（ＲＡＮ）を介して通信する。ＲＡＮは、複数のサービスエリア又はセルエリアへ分割される地理的エリアをカバーし、各サービスエリア又はセルエリアは、例えば、無線アクセスノード（例えば、Ｗｉ−Ｆｉアクセスポイント又は無線基地局（ＲＢＳ））といった無線ネットワークノードなどのアクセスノードによりサービスされ、ＲＢＳは、いくつかのネットワークでは、例えば“ノードＢ”又は“ｅＮｏｄｅＢ”とも表記され得る。エリア又はセルエリアは、アクセスノードにより無線カバレッジが提供される地理的エリアである。アクセスノードは、当該アクセスノードのレンジのワイヤレスデバイスと無線周波数上で動作するエアインタフェース上で通信する。
【０００３】
ＵＭＴＳ（Universal  Mobile  Telecommunications  System）は、第３世代の通信ネットワークであり、当該ネットワークは、第２世代（２Ｇ）のＧＳＭ（Global  System  for  Mobile  Communications）から進化した。ＵＴＲＡＮ（UMTS  terrestrial  radio  access  network）は、本質的に、ユーザ機器についてＷＣＤＭＡ（wideband  code  division  multiple  access）及び／又はＨＳＰＡ（High  Speed  Packet  Access）を用いるＲＡＮである。３ＧＰＰ（Third  Generation  Partnership  Project）として知られるフォーラムにおいて、通信サプライヤは、第３世代ネットワーク及び特にＵＴＲＡＮについて標準を提案し及び合意し、並びに、強化されたデータレート及び無線キャパシティを探求している。例えばＵＭＴＳにおけるもののようないくつかのＲＡＮにおいて、複数のアクセスノードが、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数のアクセスノードの多様なアクティビティを監督し及び協調させる。このタイプの接続は、バックホール接続として言及されることがある。ＲＮＣは、典型的には、１つ以上のコアネットワークへ接続される。
【０００４】
ＥＰＳ（Evolved  Packet  System）についての仕様は、３ＧＰＰ（3rd  Generation  Partnership  Project）内で出揃っており、その作業は、今後の３ＧＰＰリリースにおいて継続される。ＥＰＳは、ＬＴＥ（Long  Term  Evolution）無線アクセスネットワークとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、アクセスノードがＲＮＣへではなくＥＰＣコアネットワークへ直接的に接続されるという、３ＧＰＰ無線アクセス技術の一変種である。概して、Ｅ−ＵＴＲＡＮ／ＬＴＥでは、ＲＮＣの機能は、アクセスノード（例えば、ＬＴＥにおけるｅＮｏｄｅＢ）とコアネットワークとの間で分散される。そのため、ＥＰＳのＲＡＮは、本質的には、１つ以上のコアネットワークへ直接的に接続される複数のアクセスノードを含む“フラットな”アーキテクチャを有し、即ちそれらはＲＮＣへ接続されない。それを補償するために、Ｅ−ＵＴＲＡＮ仕様は、アクセスノード間の直接的なインタフェースを定義し、そのインタフェースはＸ２インタフェースと表記される。
【０００５】
ワイヤレス通信ネットワークの来たるべき第５世代（５Ｇ）の、現在のところ検討中の１つの重要な設計原理は、超高効率（ultra-lean）設計をワイヤレス通信ネットワークの基礎とすることである。これは、ネットワークからの“常時信号オン（always  on  signals）”が可能な限り避けられるべきであることを示唆する。この設計原理からの期待される恩恵として、ワイヤレス通信ネットワークは、有意により低いネットワークエネルギー消費、より良好なスケーラビリティ、無線アクセス技術（ＲＡＴ）進化フェーズの期間中のより高度な前方互換性、システムオーバヘッド信号からのより低い干渉、並びに、その結果としての、低負荷シナリオにおけるより高いスループット及びユーザセントリックなビーム形成についての改善されたサポート、を有するはずである。
【０００６】
主として、現行のＬＴＥ標準と共に進行中の５Ｇの議論の双方において、２セットのモビリティ手続が考慮されている。
【０００７】
モビリティ手続の１つ目のセットは、“アイドルモードモビリティ（Idle  Mode  Mobility）”と表記され、“アイドル”であると見なされるワイヤレスデバイス（即ち、そのワイヤレスデバイスは進行中のデータトランスファも直近のデータトランスファも有しない）がいかにしてランダムアクセス手続を用いてワイヤレス通信ネットワークへ到達できるものとされるか、及び、ページング手続の手段によりワイヤレス通信ネットワークからいかにして到達可能であるべきか、などを定義する。アイドルモードでは、ハンドオーバ、セル選択又はセル再選択といったモビリティ手続は、典型的には、例えばワイヤレス通信ネットワークにより決定される信号レベル閾値及びキャリア周波数プライオリティといったルールのセットに基づいて、ワイヤレスデバイスにより制御される。
【０００８】
他のセットのモビリティ手続は、“アクティブモードモビリティ（Active  Mode  Mobility）”であり、“アクティブ”又は“接続済み”のワイヤレスデバイスのための接続性を維持する主なタスクを有し、即ち、ワイヤレスデバイスはワイヤレス通信ネットワーク内を動き回りつつ進行中の又は直近のデータトランスファを実際に有する。ハンドオーバの失敗、無線リンク障害などといった異常事態もまた扱われる。“アクティブモードモビリティ”では、モビリティ手続は、典型的には、ワイヤレスデバイスからの測定結果に潜在的に基づいて、ワイヤレス通信ネットワークにより制御される。
【０００９】
ＬＴＥシステムについての完全なＸ２ベースのイントラＭＭＥ（Mobility  Management  Entity）／イントラＳ−ＧＷ（Serving  Gateway）ハンドオーバ（ＨＯ）手続は、３ＧＰＰ  ＴＳ３６．３００“E-UTRA(N)  Overall  Description;  Stage  2”バージョン：Ｖ１２．４．０（２０１４年１２月）において与えられている。
【００１０】
上記の通りの現行のＬＴＥのモビリティ手続と来たるべき５Ｇのモビリティ手続との間の重要な違いとして、上述したような５Ｇとしての超高効率システムでは、無線ネットワークノードが、ＬＴＥシステムにおける対応する部分とは異なり、“常時オン”な信号のいくつかを保つことを自ら放棄するであろう。代わりに、ワイヤレス通信ネットワークは、必要とされる場合にのみ、必要なリファレンス信号又は測定されるべきビームをアクティブ化することを必要とする。
【００１１】
ここで使用される“ビーム”との用語は、リファレンス信号（ＲＳ）との関係において定義される。即ち、ワイヤレスデバイスの視点からは、ビームは、ワイヤレスデバイスが関連付けられ得るエンティティであると見なされ、そのビームに固有の何らかのリファレンス信号を介して認識され、レガシーのＬＴＥネットワークのケースでは、セルのセル固有リファレンス信号（ＣＲＳ）又は特定のワイヤレスデバイス向けのＵＥ固有リファレンス信号であり得る。１つよりも多くのアンテナを伴うワイヤレス通信ネットワークでは、ワイヤレス通信ネットワークが指向性アンテナ放射パターンを形成することが可能であり、その処理は“ビーム形成”に関連することが最も多い。多数のアンテナを伴う将来のワイヤレス通信システムにおいて、このビーム形成は、非常に指向的であり、よって非常に高いアンテナビーム形成利得を提供するかもしれない。そうしたビーム形成のケースでは、他のタイプのリファレンス信号が存在してよく、それらをここでは簡易にビームリファレンス信号（ＢＲＳ）又はモビリティリファレンス信号（ＭＲＳ）と呼ぶ。しかしながら、あらゆる本質において、形成されるアンテナパターンの指向性のレベルに関わらず、それは依然として“ビーム”であると見なされる。よって、本説示の簡明さのために、“ビーム”との用語がここで使用されるであろう。
【００１２】
無線ネットワークノードのサービスエリアは、当該無線ネットワークノードの周囲の領域であり、その中で、無線ネットワークノードはワイヤレスデバイスからのアクティブモードモビリティ関連の測定結果に責任を有する。そうしたサービスエリアの外側のワイヤレスデバイスは、やはりその無線ネットワークノードからのビームによりサービスされることができるはずであるが、そのワイヤレスデバイスについてのモビリティ関連の側面にとっては、隣接する無線ネットワークノードが無線カバレッジを提供することが理想的に適しているであろう。また、そうしたサービスエリアは、仮想的な領域であり、又はあるリファレンス信号のカバレッジにより定義され得るはずである。よって、サービスエリアというこの５Ｇの概念は、現行のＬＴＥシステムのカバレッジエリア／セルの概念に似ているかもしれないが、セル固有リファレンスシンボルが常時オンではない大規模ビーム形成システムには対応する部分を有しない。
【００１３】
上で既に述べたように、無線ネットワークノードは、アクティブモード中のワイヤレスデバイス向けのモビリティを促進するための“常時オン”な信号のいくつかを保つことを自ら放棄するであろう。代わりに、サービング無線ネットワークノードは、ハンドオーバ時に、測定すべきターゲット無線ネットワークノードにてそれらリファレンス信号をアクティブ化する必要がある。そうした仕組みを提供する１つの手法は、位置対ＭＲＳ（position-to-MRS）テーブルマッピングを介することであり、ＭＲＳはワイヤレスデバイスが測定すべき所与のビームに関連するリファレンス信号である。位置とは、ワイヤレスデバイスの地理的位置又はいわゆる“無線位置”への言及であり得る。ここで使用される“無線位置”との用語は、例えば、ワイヤレスデバイスからの送信信号の到来角若しくは経験されるパスロス、又はワイヤレスデバイスへの送信信号の信号強度測定結果、言い換えればある種の無線環境のフィンガプリントといった、測定量のセットであってよい。それは、ワイヤレス通信ネットワーク内又はその外部のいくつかの無線ネットワークノードから能動的に送信される信号／ビーコンに基づくこともできるはずである。
【００１４】
既に提案したように、ソース無線ネットワークノードは、自身がサービスするワイヤレスデバイスのうちの１つ以上についてハンドオーバを行うことが妥当であると見なした場合に、その隣接する無線ネットワークノードに複数のビームについてＭＲＳを送信することを依頼し得る。１つのそうしたシナリオが図１に示されており、図中で、左の無線ネットワークノードｅＮＢ１は、１つのワイヤレスデバイスＷ１へサービスしており、右の無線ネットワークノードｅＮＢ２は、他の２つのワイヤレスデバイスＷ２、Ｗ３へ各々別個のビームにおいてサービスしている。右の無線ネットワークノードｅＮＢ２は、自身がサービスしているワイヤレスデバイスのうちの１つについてのＨＯを促進するために、１つの追加的なＭＲＳ／ビームをも送信しており、但しそれは左の無線ネットワークノードｅＮＢ１にとっては未知の何かである。次に、図２を参照すると、ｅＮＢ１は、ｅＮＢ１においてサービスされているワイヤレスデバイスＷ１についてｅＮＢ２へ向けたＨＯ手続を開始してよく、それによって、リファレンス信号要求と共に、ＨＯ手続をサポートするための、ワイヤレスデバイスＷ１によるＨＯ関連の測定のために使用可能な１つ以上のＲＳ又はビームの送信を開始することを、ｅＮＢ２に要求することになる（アクション１ａ参照）。ｅＮＢ２は、ＲＳ又はビームを開始する（図２におけるアクション１ｂ）。アクション１ｃ．ｅＮＢ１は、測定を可能にするための何らかの測定制御情報をワイヤレスデバイスＷ１へ送信する。アクション２．ワイヤレスデバイスＷ１は、測定レポートと共にｅＮＢ１へレポートバックを行う。アクション３．ｅＮＢ１は、受信される測定レポートに基づいて、ＨＯ決定を行う。ＨＯが決定されるケースでは、ｅＮＢ１は、ｅＮＢ２へハンドオーバ要求を送信する（アクション４参照）。アクション５．ｅＮＢ２は流入制御を実行し、流入制御が成功するケースでは、ｅＮＢ２は、ハンドオーバ要求確認応答（Ａｃｋ）をｅＮＢ１へ送信する（アクション６参照）。
【００１５】
これでは、シグナリング及びｅＮＢ１からの要求のハンドリングのためのリソースを要することになり、非効率的なモビリティ手続につながる。
【発明の概要】
【発明が解決しようとする課題】
【００１６】
ここでの実施形態の目的は、ワイヤレス通信ネットワークにおいて効率的なやり方のモビリティ手続を可能にするための仕組みを提供することである。
【課題を解決するための手段】
【００１７】
ある観点によれば、上記目的は、ワイヤレス通信ネットワークにおいて第１の無線ネットワークノードと第２の無線ネットワークノードとの間のワイヤレスデバイスのモビリティ手続を可能にするための、上記第２の無線ネットワークノードにより実行される方法により達成される。上記第２の無線ネットワークノードは、接続済みのワイヤレスデバイスについて上記第２の無線ネットワークノードにおいて使用されるアクティブなビームのセットを判定し、及び上記第１の無線ネットワークノードへ、標識を送信する。上記標識は、判定される上記アクティブなビームのセットを指し示す。上記アクティブなビームのセットは、上記ワイヤレスデバイスの上記モビリティ手続において使用される。
【００１８】
別の観点によれば、上記目的は、ワイヤレス通信ネットワークにおいて第１の無線ネットワークノードと第２の無線ネットワークノードとの間のワイヤレスデバイスのモビリティ手続を可能にするための、上記第１の無線ネットワークノードにより実行される方法により実行される方法により達成される。上記第１の無線ネットワークノードは、上記第２の無線ネットワークノードから、上記第２の無線ネットワークノードにおいて接続済みのワイヤレスデバイスについて上記第２の無線ネットワークノードにおいて使用されるアクティブなビームのセットを指し示す標識を受信する。上記第１の無線ネットワークノードは、上記アクティブなビームのセット内の測定を実行すべき１つ以上のビームを指し示す測定情報を上記ワイヤレスデバイスへ送信し、上記測定情報が上記ワイヤレスデバイスの上記モビリティ手続において使用される。
【００１９】
さらに別の観点によれば、上記目的は、ワイヤレス通信ネットワークにおいて第１の無線ネットワークノードと第２の無線ネットワークノードとの間のワイヤレスデバイスのモビリティ手続を可能にするための、上記第２の無線ネットワークノードを提供することにより達成される。上記第２の無線ネットワークノードは、接続済みのワイヤレスデバイスについて上記第２の無線ネットワークノードにおいて使用されるアクティブなビームのセットを判定する、ように構成される。上記第２の無線ネットワークノードは、上記第１の無線ネットワークノードへ、判定される上記アクティブなビームのセットを指し示す標識を送信する、ようにさらに構成され、上記アクティブなビームのセットが上記ワイヤレスデバイスの上記モビリティ手続において使用される。
【００２０】
さらにまた別の観点によれば、上記目的は、ワイヤレス通信ネットワークにおいて第１の無線ネットワークノードと第２の無線ネットワークノードとの間のワイヤレスデバイスのモビリティ手続を可能にするための、上記第１の無線ネットワークノードを提供することにより達成される。上記第１の無線ネットワークノードは、上記第２の無線ネットワークノードから、上記第２の無線ネットワークノードにおいて接続済みのワイヤレスデバイスについて上記第２の無線ネットワークノードにおいて使用されるアクティブなビームのセットを指し示す標識を受信する、ように構成される。上記第１の無線ネットワークノードは、上記アクティブなビームのセット内の測定を実行すべき１つ以上のビームを指し示す測定情報を上記ワイヤレスデバイスへ送信する、ようにさらに構成され、上記測定情報が上記ワイヤレスデバイスの上記モビリティ手続において使用される。
【発明の効果】
【００２１】
１つの利点は、受信される標識において指し示される通りに第２の無線ネットワークノードが１つ以上のビームを第１の無線ネットワークノードに向かう方向へ送信していることが知得済みであるという恩恵を、第１の無線ネットワークノードが受けることになる、ということである。その情報が知得されていれば、第１の無線ネットワークノードは、自身がサービスするワイヤレスデバイスに、例えば位置対ビームマッピングテーブルといったテーブルを強化するために、それら１つ又は複数のビームに関しより多くの測定をするよう要請し得る。これにより、より長期の測定時間長へ依拠することができるため、正確なビームの選択をも改善し、及び不要なビームのアクティブ化を要求することを回避し得る。よって、ここでの実施形態は、ワイヤレス通信ネットワークにおける効率的なやり方のモビリティ手続を可能にするための仕組みを提供する。
【図面の簡単な説明】
【００２２】
次に、以下の添付図面との関連において、実施形態がより詳細に説明されるであろう：
【００２３】
【図１】従来技術に係るワイヤレス通信ネットワークを描いた概略図である。
【図２】従来技術に係る方法を描いたシグナリング方式及びフローチャートの組み合わせである。
【図３】ここでの実施形態に係るワイヤレス通信ネットワークを描いた概略図である。
【図４】ここでの実施形態に係る方法を描いたフローチャートである。
【図５】ここでの実施形態に係る方法を描いたフローチャートである。
【図６】ここでの実施形態に係る方法を描いたシグナリング方式及びフローチャートの組み合わせである。
【図７】ここでの実施形態に係る方法を描いたシグナリング方式及びフローチャートの組み合わせである。
【図８】ここでの実施形態に係る第２の無線ネットワークノードを描いたブロック図である。
【図９】ここでの実施形態に係る第１の無線ネットワークノードを描いたブロック図である。
【発明を実施するための形態】
【００２４】
ここでの実施形態は、概して、ワイヤレス通信ネットワークに関連する。図３は、ワイヤレス通信ネットワーク１を描いた概略図である。ワイヤレス通信ネットワーク１は、１つ以上のＲＡＮと１つ以上のＣＮとを含む。ワイヤレス通信ネットワーク１は、わずかなあり得る実装例に触れるだけでも、Ｗｉ−Ｆｉ、ＬＴＥ（Long  Term  Evolution）、ＬＴＥアドバンスト、５Ｇ、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、又はＵＭＢ（Ultra  Mobile  Broadband）といった、いくつかの異なる技術を使用してよい。ここでの実施形態は、５Ｇの文脈において具体的な関心を有する近日の技術トレンドに関連するが、しかしながら、実施形態は、例えばＷＣＤＭＡ及びＬＴＥといった既存のワイヤレス通信システムのさらなる開発においても適用可能である。
【００２５】
ワイヤレス通信ネットワーク１において、例えば移動局、非ＡＰ（non-access  point）ＳＴＡ、ＳＴＡ、ユーザ機器及び／又はワイヤレス端末といったワイヤレスデバイス１０であるワイヤレスデバイスは、１つ以上のコアネットワーク（ＣＮ）へ、例えばＲＡＮである１つ以上のアクセスネットワーク（ＡＮ）を介して通信する。当業者により理解されるべきこととして、“ワイヤレスデバイス”は、任意の端末、ワイヤレス通信端末、ユーザ機器、マシンタイプ通信（ＭＴＣ）デバイス、デバイスツーデバイス（Ｄ２Ｄ）端末、又は、例えばスマートフォン、ラップトップ、モバイルフォン、センサ、リレー、モバイルタブレット、若しくはセル内で通信する基地局でさえあり得るノード、を意味する非限定的な用語である。
【００２６】
ワイヤレス通信ネットワーク１は、第１の無線ネットワークノード１２を含み、第１の無線ネットワークノード１２は、ＬＴＥ、Ｗｉ−Ｆｉ又は類似のものといった第１の無線アクセス技術（ＲＡＴ）の、地理的エリアである第１のサービスエリア１１にわたる無線カバレッジを提供する。第１の無線ネットワークノード１２は、例えば第１の無線アクセス技術及び使用される専門用語に依存して、ＷＬＡＮアクセスポイント若しくはアクセスポイントステーション（ＡＰ  ＳＴＡ）といったアクセスポイント、アクセスコントローラ、基地局（例えば、ノードＢといった無線基地局、拡張ノードＢ（ｅＮＢ、ｅＮｏｄｅＢ）、基地送受信局、アクセスポイント基地局、基地局ルータ）、無線基地局の送信構成、スタンドアローンアクセスポイント、又は、第１の無線ネットワークノード１２によりサービスされるサービスエリア内のワイヤレスデバイスと通信可能な任意の他のネットワークユニット、などの無線ネットワークノードであってよい。第１の無線ネットワークノード１２は、ソース無線ネットワークノードとして言及されてもよい。
【００２７】
さらに、ワイヤレス通信ネットワーク１は、第２の無線ネットワークノード１３を含み、第２の無線ネットワークノード１３は、ＬＴＥ、Ｗｉ−Ｆｉ又は類似のものといった第２の無線アクセス技術の、地理的エリアである第２のサービスエリア１４にわたる無線カバレッジを提供する。第２の無線ネットワークノード１３は、例えば第２の無線アクセス技術及び使用される専門用語に依存して、ＷＬＡＮアクセスポイント若しくはアクセスポイントステーション（ＡＰ  ＳＴＡ）といったアクセスポイント、アクセスコントローラ、基地局（例えば、ノードＢといった無線基地局、拡張ノードＢ（ｅＮＢ、ｅＮｏｄｅＢ）、基地送受信局、アクセスポイント基地局、基地局ルータ）、無線基地局の送信構成、スタンドアローンアクセスポイント、又は、第２の無線ネットワークノード１３によりサービスされるサービスエリア内のワイヤレスデバイスと通信可能な任意の他のネットワークユニット、などの無線ネットワークノードであってよい。第１のＲＡＴ及び第２のＲＡＴは、同一のＲＡＴであっても異なるＲＡＴであってもよい。第２の無線ネットワークノード１３は、ターゲット無線ネットワークノードとして言及されてもよい。追加的に、第２のワイヤレスデバイス１５が第２の無線ネットワークノード１３によりサービスされてもよい。
【００２８】
ここでの実施形態は、無線ネットワークノードについての“アクティブなビームのセット”の導入を包含し、任意の所与の時点のアクティブなビームのセットの１つ以上のビームが、その無線ネットワークノードにおいてアクティブである。これは、アクティブビームのセットとして言及されてもよい。所与の無線ネットワークノードは、自身のサービスエリア、セル、ビームなどの範囲内で、自身のサービスエリア内の現在のチャネル条件を、他の無線ネットワークノードにとって可能であるよりもよく知っているはずである。ここでの実施形態によれば、各無線ネットワークノード、例えば第２の無線ネットワークノード１３は、自身に隣接する無線ネットワークノードのうちの１つ以上へ、例えば周期的に及び／又はアクティブなビームのセットに変化がある都度、そのアクティブなビームのセットに関し通知を行う。即ち、第２の無線ネットワークノード１３は、接続済みのワイヤレスデバイスについて第２の無線ネットワークノード１３において使用されるアクティブなビームのセットを判定する。そして、第２の無線ネットワークノード１３は、第１の無線ネットワークノード１２へ標識を送信する。その標識は、判定されたアクティブなビームのセットを指し示す。そのアクティブなビームのセットは、ワイヤレスデバイス１０のモビリティ手続において使用される。
【００２９】
それにより、第１の無線ネットワークノード１２は、第２の無線ネットワークノード１３といった隣接するノードにおける潜在的な干渉元のどのビームがアクティブであるのかに関し、より最新に保たれる。これは、次の利点を有し得る：
・これらのビームが、サービスしている第１の無線ネットワークノード１２自身ではなく第２の無線ネットワークノード１３に由来している場合であっても、第１の無線ネットワークノード１２が、自身がサービスするワイヤレスデバイスによる測定を、最も適合するビームを測定するようによりプロアクティブに構成することを支援する。
・第１の無線ネットワークノード１２は、自身のサービスエリア内の所与の位置にあるワイヤレスデバイス１０についての複数のビーム内でＨＯ先としてより適した第２の無線ネットワークノード１３における候補ビームを、当該候補ビームが第２の無線ネットワークノード１３においてターンオフにされているときでさえも、上記情報を用いて識別し得る。言い換えれば、第１の無線ネットワークノード１２は、例えば位置対ＭＲＳテーブルマッピングといった、無線ネットワークノードとアクティブなビームのセットとの関係を含む自身のテーブルの内容を、上記情報を用いて初期化し及び／又は更新し得る。
・それにより、第１の無線ネットワークノード１２の第１のサービスエリア１１の外側でサービスされるワイヤレスデバイス１０についてのＳＩＮＲ（Signal  to  Interference  plus  Noise  Ratio）における大幅な劣化の可能性が低減され得る。これは、第２の無線ネットワークノード１３が、例えば自身のカバレッジ領域において新たなワイヤレスデバイスにサービスするために新たなビームをアクティブ化するといった状況において起こり得る。これを事前に知ることにより、第１の無線ネットワークノード１２は、よりプロアクティブとなり、よってより早い段階で適切な決定を行うことができる。
・基地局のような第１の無線ネットワークノード１２の設置／再配置の後に、第１の無線ネットワークノード１２あるいは実際には第１の無線ネットワークノード１２の第１のサービスエリア１１内の複数の位置と、アクティブなビームのセットとの関係を含むテーブルを、スクラッチから作り上げることを必要とする。ここでのいくつかの実施形態によれば、新たに設置される第１の無線ネットワークノード１２に、隣接するノード（例えば第２の無線ネットワークノード１３）へ、そのアクティブビームをプロアクティブに指し示すように要求させ、またその逆を行わせることにより、テーブル（例えば位置ＭＲＳテーブル）を構築し又は維持する上記手続がスピードアップされ得る。テーブルを生成するために十分なデータが生成されると、上記手続を停止することができるはずであり、それによりシグナリングのリソースが節約され得る。
・無線ネットワークノード間のアクティブなビームのセットの交換は、大量のシグナリングを生成しかねないと見えるかもしれない。これは、例えばビーム精緻化手続の範囲内のビームの全ての変化をアクティブなビームのセットの交換の一部とするようないくつかのケースでは、確かに真であるかもしれない。しかしながら、圧倒的に多いシナリオでは、アクティブなビームのセットの交換の一部は、より広範囲のビームである。これらは、数がもっと少なく、あまり頻繁に変化しないと期待されるので、シグナリングのオーバヘッドは極めて限られるはずである。
・第２の無線ネットワークノード１３における具体的なビームに向けたハンドオーバの試みが失敗するケースでは、第１の無線ネットワークノード１２は、そのビーム、近傍のビーム又は（接続が動作するかが実際上重要なクリティカルケースでは）任意のビームであってさえよいビームがいつアクティブ化されるのかに関して、自身へプロアクティブに通知するように第２の無線ネットワークノード１３に要求してもよい。そして、第１の無線ネットワークノード１２は、その情報を用いてテーブルをさらに精緻化することもできる。
【００３０】
いくつかの実施形態に係るワイヤレス通信ネットワーク１において第１の無線ネットワークノード１２と第２の無線ネットワークノード１３との間のワイヤレスデバイス１０のモビリティ手続を可能にするために第２の無線ネットワークノード１３により実行される方法のアクションを、図４に描かれたフローチャートに関連してここで説明する。アクションは、以下に述べられる順序で行われる必要はなく、任意の適切な順序で行われてもよい。いくつかの実施形態において実行されるアクションは、破線ボックスで示されている。
【００３１】
［アクション４００］第２の無線ネットワークノード１３は、アクティブなビームのセットの標識の提供を求める要求を第１の無線ネットワークノード１２から受信し得る。
【００３２】
［アクション４０１］第２の無線ネットワークノード１３は、接続済みのワイヤレスデバイス（例えば、第２のワイヤレスデバイス１５）について第２の無線ネットワークノード１３において使用されるアクティブなビームのセットを判定する。
【００３３】
［アクション４０２］第２の無線ネットワークノード１３は、ビームのうちのいずれかの特性における変化が存在する場合に、アクティブなビームのセットが変化したと判定し得る。いくつかの実施形態において、ビームは、同一の方向、プリコーディング、及び電源がオンならば同一の電力、を常に有しているであろう。即ち、それはオン又はオフの状態でのみ変化し得る。いくつかの実施形態においては、代わりに、例えばいわゆるＵＥ固有のビーム形成の手段により第２のワイヤレスデバイス１５を“追跡”するために、第２の無線ネットワークノード１３が所与のビームのプリコーディング及び／又は電力を変更するというシナリオにおいて、各ビームは経時的に変化し得る。そうしたシナリオに関連するいくつかの実施形態においては、新たなビームがアクティブ化されたか否かという場合のみならず、例えば第２のワイヤレスデバイス１５が所与の（最小）距離よりも多く移動した、プリコーディングが所与の（最小）量よりも多く変化した、ビームの電力が所与の（最小）量よりも多く変化した、及びそれらに類する場合にも、アクティブなビームのセットが変化したと見なされることになり、よって、第１の無線ネットワークノード１２との間で情報を交換する必要がある。明白なこととして、これは網羅的ではないリストであり、よって他の可能性もまた存在する。
【００３４】
［アクション４０３］第２の無線ネットワークノード１３は、無線ネットワークノードとアクティブなビームのセットとの関係を含むテーブルを構築し及び／又は維持し得る。例えばテーブルは、第１／第２の無線ネットワークノード内のある位置について適合するビームの、受信され／送信される標識から構築され／維持されてもよい。標識は内部から、即ち第１の無線ネットワークノード１２及び／又は別の無線ネットワークノードから受信されてもよい。テーブルは、ビーム対ビームテーブル及び／又は位置対ＭＲＳテーブルであってもよい。
【００３５】
［アクション４０４］第２の無線ネットワークノード１３は、アクティブなビームのセットが第１の無線ネットワークノード１２に適合すると判定し得る。例えば、第２の無線ネットワークノード１３は、構築され又は維持されるテーブルに基づいてアクティブなビームのセットが第１の無線ネットワークノード１２に適合すると判定してもよい。いくつかの実施形態において、第２の無線ネットワークノード１３は、例えば第２の無線ネットワークノードのＭＲＳテーブルマッピングに基づいて、潜在的に影響を受ける隣接する無線ネットワークノードに、自身のアクティブビームのセットに関する情報を提供してもよい。第２の無線ネットワークノード１３は、例えば、このテーブルを用いて、どの無線ネットワークノードが、変化しようとし又は修正される（例えば追加され、削除され、若しくは特性が変化する）ビームによって影響を受け得るかを判定してもよい。
【００３６】
［アクション４０５］第２の無線ネットワークノード１３は、第１の無線ネットワークノード１２へ標識を送信する。標識は、判定されるアクティブなビームのセットを指し示す。アクティブなビームのセットは、ワイヤレスデバイス１０のモビリティ手続において使用される。標識は、テーブル内のアクティブなビームのセットのインデックスであってもよく、又はアクティブなビームのセット内の各ビームを指し示す明示的なエンコードであってもよい。第２の無線ネットワークノード１３は、第２の無線ネットワークノード１３において前回使用されたアクティブなビームのセットからの、アクティブなビームのセットにおける変化が存在する場合にのみ標識の送信を実行してもよい（例えば上記アクション４０２参照）。
【００３７】
いくつかの実施形態において、第２の無線ネットワークノード１３は、別の無線ネットワークノードによる要求に応じて自身のアクティブなビームのセットに関する情報を提供するであろう（上記アクション４００参照）。いくつかの他の実施形態においては、第２の無線ネットワークノード１３は、この情報を全ての隣接する無線ネットワークノードへ提供するであろう。また別のいくつかの実施形態においては、第２の無線ネットワークノード１３は、自身の“サブスクリプション”を過去にセットアップした無線ネットワークノードへのみこの情報を提供するであろう。
【００３８】
ここでのいくつかの実施形態によれば、第２の無線ネットワークノード１３は、どのビームが第２の無線ネットワークノード１３において現在アクティブであるかに関して全ての関係する隣接無線ネットワークノードに通知を行う。この情報を、隣接する第１の無線ネットワークノード１２において使用して、そのノード及び他の関係する無線ネットワークノードにおけるモビリティ関連の測定を最適化してもよい。
【００３９】
いくつかの実施形態に係るワイヤレス通信ネットワーク１において第１の無線ネットワークノード１２と第２の無線ネットワークノード１３との間のワイヤレスデバイス１０のモビリティ手続を可能にするために第１の無線ネットワークノード１２により実行される方法のアクションを、図５に描かれたフローチャートに関連してここで説明する。アクションは、以下に述べられる順序で行われる必要はなく、任意の適切な順序で行われてもよい。いくつかの実施形態において実行されるアクションは、破線ボックスで示されている。
【００４０】
［アクション５００］第１の無線ネットワークノード１２は、アクティブなビームのセットの標識の提供を求める要求を第２の無線ネットワークノード１３へ送信し得る。
【００４１】
［アクション５０１］第１の無線ネットワークノード１２は、第２の無線ネットワークノード１３から標識を受信し、その標識は、第２の無線ネットワークノード１３における接続済みのワイヤレスデバイスについて第２の無線ネットワークノード１３において使用されるアクティブなビームのセットを指し示す。標識は、テーブル内のアクティブなビームのセットのインデックスであってもよく、又は、アクティブなビームのセット内の各ビームを指し示す明示的なエンコードであってもよい。
【００４２】
［アクション５０２］第１の無線ネットワークノード１２は、指し示されるアクティブなビームのセット内の１つ以上のビームがワイヤレスデバイス１０に適合すると判定し得る。構築され又は更新されたテーブルに基づいて判定され得る（下記アクション５０５参照）。これは、ワイヤレスデバイス１０からの前回の測定レポート及び又はワイヤレスデバイス１０からのサウンディングリファレンス信号に基づいて判定されてもよい。
【００４３】
［アクション５０３］第１の無線ネットワークノード１２は、アクティブなビームのセット内の測定を実行すべき１つ以上のビームを指し示す測定情報をワイヤレスデバイス１０へ送信し、その測定情報は、ワイヤレスデバイス１０のモビリティ手続において使用される。いくつかの実施形態において、第１の無線ネットワークノード１２は、第２の無線ネットワークノード１３からアクティブなビームのセットに関する情報を受信すると、第２の無線ネットワークノード１３のアクティブなビームのセット内の全てのビームに関して測定を行うように、第１の無線ネットワークノード１２によりサービスされているワイヤレスデバイス１０といったワイヤレスデバイスを構成するであろう。いくつかの他の実施形態においては、アクティブなビームのセット内の、例えばアクション５０２において判定されるビームのサブセットのみ、そうした測定の対象となるであろう。いくつかの実施形態においては、ワイヤレスデバイスのサブセットのみ、そうした測定を実行するよう選択されるであろう。ワイヤレスデバイスのこのサブセットは、例えば、アクティブなビームのセットが聞こえる可能性がより高いと見なされるワイヤレスデバイのみを測定レポーティングのために構成することにより、判定され得るであろう。これは、一方で、例えば第１の無線ネットワークノード１２のその時点の位置対ＭＲＳテーブルマッピングと併せて、ワイヤレスデバイスの位置に基づいて、決定することができるはずである。
【００４４】
［アクション５０４］第１の無線ネットワークノードは、次いで、アクティブなビームのセット内の１つ以上のビームの測定レポートをワイヤレスデバイス１０から受信し得る。
【００４５】
［アクティブ５０５］第１の無線ネットワークノード１２は、無線ネットワークノードとアクティブなビームのセットとの関係を含むテーブルを構築し及び／又は維持（更新）し得る。例えば、テーブルは、第１／第２の無線ネットワークノード内のある位置について適合するビームの受信／送信された標識から構築され／維持されてもよい。標識は内部から、即ち第１の無線ネットワークノード１２から、及び／又は別の無線ネットワークノードから受信されてもよい。いくつかの実施形態において、第１の無線ネットワークノード１２の位置対ＭＲＳテーブルマッピングは、受信される測定レポートに基づいて第２の無線ネットワークノード１３のそれらビームを対象として更新される。
【００４６】
図６は、ここでのいくつかの実施形態に係るシグナリング方式及びフローチャートの組み合わせである。アクションは、任意の適切な順序で行われてもよい。
【００４７】
［アクション６０１］ワイヤレスデバイスは、第２の無線ネットワークノード１３へ接続され、第２の無線ネットワークノード１３は、第２のワイヤレスデバイス１５のようなワイヤレスデバイスのために１つ以上のビームを開始する。
【００４８】
［アクション６０２］第２の無線ネットワークノード１３は、接続済みのワイヤレスデバイスについてのアクティブなビームのセットを判定し、即ちどのビームが現在使用されるかを判定する。
【００４９】
［アクション６０３］第２の無線ネットワークノード１３は、アクティブなビームのセットの特性が、前回使用されたアクティブなビームのセットから変化したか、及び／又は第１の無線ネットワークノード１２へ前回レポートされたアクティブなビームのセットから変化したかを判定し得る。
【００５０】
［アクション６０４］第２の無線ネットワークノード１３は、第１の無線ネットワークノード１２へ、判定されるアクティブなビームのセットを指し示す標識を送信する。このアクティブなビームのセットは、第１の無線ネットワークノード１２において、ワイヤレスデバイス１０のモビリティ手続において使用される。
【００５１】
［アクション６０５］第１の無線ネットワークノード１２は、次いで、指し示されるアクティブなビームのセットからいずれがワイヤレスデバイス１０に適合するかを判定し得る。
【００５２】
［アクション６０６］第１の無線ネットワークノード１２は、ワイヤレスデバイス１０における測定を可能にするための測定情報を送信する（例えば測定情報は、判定された適合するビームを指し示した）。
【００５３】
［アクション６０７］ワイヤレスデバイス１０は、第１の無線ネットワークノード１２へ、判定された適合するビームの測定レポートと共にレポートバックを行う。ワイヤレスデバイス１０はまた、第１の無線ネットワークノード１２のサービスされるビームの測定レポートを送信してもよい。
【００５４】
［アクション６０８］第１の無線ネットワークノード１２は、無線ネットワークノードとビームとの間の関係を含むテーブルを構築し又は更新し／維持し得る。例えばテーブルは、第１の無線ネットワークノード１２の第１のサービスエリア１１の範囲内の、第２の無線ネットワークノード１３のＭＲＳにマッピングされる位置を指し示すテーブルである位置ＭＲＳテーブルであってもよく、ＭＲＳはビームを指し示すリファレンス信号である。
【００５５】
［アクション６０９］第１の無線ネットワークノード１２は、次いで、例えば受信される測定レポートに基づいて、ＨＯ決定を行うといった、モビリティ手続を実行し得る。
【００５６】
［アクション６１０］ＨＯが決定されるケースでは、第１の無線ネットワークノード１２は、第２の無線ネットワークノード１３へハンドオーバ要求を送信し得る。
【００５７】
［アクション６１１］第２の無線ネットワークノード１３は、次いで、ワイヤレスデバイス１０についての流入制御を実行し得る。
【００５８】
［アクション６１２］流入制御が成功するケースでは、第２の無線ネットワークノード１３は、第１の無線ネットワークノード１２へハンドオーバ要求確認応答を送信する。いくつかの実施形態において、第２の無線ネットワークノード１３は、自身のアクティブなビームのセットに関する情報を周期的に提供するであろう。いくつかの他の実施形態においては、第２の無線ネットワークノード１３は、当該アクティブなセットにおける変化が存在する場合にのみこの情報を提供するであろう。いくつかの実施形態において、前回通信された所与のベースラインのセットに対する差分（delta）のみが第１の無線ネットワークノード１２と交換されるメッセージにおいてエンコードされ、一方、いくつかの他の実施形態においては、明示的なアクティブなビームのセットがエンコードされる。
【００５９】
情報は、例えば、例えばＸ２若しくは類似のものを介して、バックホールリンク上で無線ネットワークノード間で直接交換されてもよく、又は、例えばＲＲＣ（Radio  Resource  Control）プロトコルのようなレイヤプロトコルを用いてＣＮ（例えばＳ１若しくは類似のもの）を介してリレーされてもよい。いくつかの実施形態においては、ワイヤレス通信ネットワークのビーム／モビリティステータスの関係する状況（picture）を提供するために、オペレーション及びメンテナンス（Ｏ＆Ｍ）又は自己組織化ネットワーク（ＳＯＮ）の目的で、この情報がやはり入力として使用される（例えば、構築されたテーブルが、Ｏ＆Ｍノードへ送信されてもよい）。
【００６０】
隣接するＭＲＳに関連するプロアクティブな測定という結果をもたらすアクティブなビームのセットの情報交換の一例が、図７に示されている。破線は、ワイヤレスデバイスへのデータ送信について使用される。
【００６１】
［アクション７１］第１の無線ネットワークノード１２は、ワイヤレスデバイス１０へビーム“Ｘ１”においてデータを送信する。
【００６２】
［アクション７２］ＵＥ２とも表記される第２のワイヤレスデバイス１５は、初期アクセス手続を実行し、及び接続すべき第２の無線ネットワークノード１３を選択する。よって第２のワイヤレスデバイス１５は、ノードへの初期アクセス及びノード選択を実行する。
【００６３】
［アクション７３］第２の無線ネットワークノード１３は、第２のワイヤレスデバイス１５からのＵＬ及び／又はＤＬレポーティングに基づいて、第２のワイヤレスデバイス１５についてのサービングビーム“Ｘ２”を判定する。第２の無線ネットワークノード１３は、ＤＬ及び／又はＵＬレポーティングに基づいて、ＵＥ２についてのサービングビーム判定を実行する。
【００６４】
［アクション７４］第２の無線ネットワークノード１３は、次いで、第２のワイヤレスデバイス１５へサービングビーム“Ｘ２”におけるデータを送信し得る。
【００６５】
［アクション７５］第２の無線ネットワークノード１３は、次いで、サービングビームＸ２であるアクティブなビームのセットを判定し、及び第１の無線ネットワークノード１２へアクティブなビームのセットの標識を送信する。例えば、第２の無線ネットワークノード１３は、第１の無線ネットワークノード１２へ、アクティブビームセット＝ビームＸ２、を送信してもよい。
【００６６】
［アクション７６］第１の無線ネットワークノード１２は、次いで、例えばビームＸ２のＭＲＳについての測定レポート要求をワイヤレスデバイス１０へ送信し得る。
【００６７】
［アクション７７］ワイヤレスデバイス１０は、次いで、ビームＸ２のＭＲＳについての測定レポートを第１の無線ネットワークノード１２へ送信し得る。
【００６８】
［アクション７８］第１の無線ネットワークノード１２は、次いで、受信される測定レポートに基づいてビーム対ビーム及び位置対ＭＲＳテーブルマッピング更新を実行し得る。
【００６９】
第１の無線ネットワークノード１２は追加的に、受信される測定レポートに基づいて、例えばワイヤレスデバイス１０をＨＯするか否かを判定し得る。
【００７０】
ここでのいくつかの方法を実行するために、第２の無線ネットワークノードが提供される。図８は、ワイヤレス通信ネットワーク１において第１の無線ネットワークノード１２と第２の無線ネットワークノード１３との間でワイヤレスデバイス１０のモビリティ手続を可能にするための、第２の無線ネットワークノード１３を描いたブロック図である。第２の無線ネットワークノード１３は、ここでの方法を実行するように構成される処理回路８０１を含んでもよい。
【００７１】
第２の無線ネットワークノード１３は、接続済みのワイヤレスデバイスについて第２の無線ネットワークノード１３において使用されるアクティブなビームのセットを判定する、ように構成される。第２の無線ネットワークノード１３は、判定モジュール８０２を含んでもよい。処理回路８０１及び／又は判定モジュール８０２は、接続済みのワイヤレスデバイスについて第２の無線ネットワークノード１３において使用されるアクティブなビームのセットを判定する、ように構成され得る。
【００７２】
第２の無線ネットワークノード１３は、第１の無線ネットワークノード１２へ、判定されるアクティブなビームのセットを指し示す標識を送信する、ように構成され、そのアクティブなビームのセットがワイヤレスデバイス１０のモビリティ手続において使用される。標識は、テーブル内のアクティブなビームのセットのインデックスであってもよく、又は、アクティブなビームのセット内の各ビームを指し示す明示的なエンコードであってもよい。第２の無線ネットワークノード１３は、第２の無線ネットワークノード１３において前回使用されたアクティブなビームのセットからの、アクティブなビームのセットにおける変化が存在する場合にのみ標識を送信する、ように構成されてもよい。
【００７３】
第２の無線ネットワークノード１３は、送信モジュール８０３を含んでもよい。処理回路８０１及び／又は送信モジュール８０３は、第１の無線ネットワークノード１２へ、判定されるアクティブなビームのセットを指し示す標識を送信する、ように構成されてもよく、アクティブなビームのセットがワイヤレスデバイス１０のモビリティ手続において使用される。処理回路８０１及び／又は送信モジュール８０３は、第２の無線ネットワークノード１３において前回使用されたアクティブなビームのセットからの、アクティブなビームのセットにおける変化が存在する場合にのみ標識を送信する、ように構成されてもよい。
【００７４】
第２の無線ネットワークノード１３は、ビームのうちのいずれかの特性における変化が存在する場合に、アクティブなビームのセットが変化したと判定する、ように構成されてもよい。処理回路８０１及び／又は判定モジュール８０２は、ビームのうちのいずれかの特性における変化が存在する場合に、アクティブなビームのセットが変化したと判定する、ように構成されてもよい。
【００７５】
さらに、第２の無線ネットワークノード１３は、アクティブなビームのセットが第１の無線ネットワークノード１２に適合すると判定する、ように構成され得る。処理回路８０１及び／又は判定モジュール８０２は、アクティブなビームのセットが第１の無線ネットワークノード１２に適合すると判定する、ように構成され得る。
【００７６】
加えて、第２の無線ネットワークノード１３は、無線ネットワークノードとアクティブなビームのセットとの関係を含むテーブルを構築し及び／又は維持する、ように構成され得る。第２の無線ネットワークノード１３は、テーブルモジュール８０４を含んでもよい。処理回路８０１及び／又はテーブルモジュール８０４は、無線ネットワークノードとアクティブなビームのセットとの関係を含むテーブルを構築し及び／又は維持する、ように構成され得る。例えば、テーブルは、ワイヤレスデバイス１０及び／又は第１の無線ネットワークノード１２から受信される測定レポートに基づいて更新されてもよい。
【００７７】
第２の無線ネットワークノード１３は、構築され及び／又は維持されるテーブルに基づいてアクティブなビームのセットが第１の無線ネットワークノード１２に適合すると判定する、ように構成され得る。処理回路８０１及び／又は判定モジュール８０２は、構築され及び／又は維持されるテーブルに基づいてアクティブなビームのセットが第１の無線ネットワークノード１２に適合すると判定する、ように構成され得る。
【００７８】
第２の無線ネットワークノード１３は、アクティブなビームのセットの標識の提供を求める要求を第１の無線ネットワークノード１２から受信する、ように構成され得る。第２の無線ネットワークノード１３は、受信モジュール８０５を含んでもよい。処理回路８０１及び／又は受信モジュール８０５は、アクティブなビームのセットの標識の提供を求める要求を第１の無線ネットワークノード１２から受信する、ように構成され得る。
【００７９】
ここで説明される第２の無線ネットワークノード１３についての実施形態に係る方法は、命令、即ち、ソフトウェアのコード部分を含む、例えばコンピュータプログラム８０６又はコンピュータプログラム製品の手段によりそれぞれ実装され、その命令は、少なくとも１つのプロセッサ上で実行される場合、ここで説明した第２の無線ネットワークノード１３によって実行される通りのアクションをその少なくとも１つのプロセッサに遂行させる。コンピュータプログラム８０６は、コンピュータ読取可能な記憶媒体８０７（例えばディスク又は類似のもの）上に記憶されてもよい。コンピュータプログラムを自身に記憶したコンピュータ読取可能な記憶媒体８０７は、少なくとも１つのプロセッサ上で実行される場合、ここで説明した第２の無線ネットワークノード１３によって実行される通りのアクションをその少なくとも１つのプロセッサに遂行させる命令を含み得る。いくつかの実施形態において、コンピュータ読取可能な記憶媒体は、非一時的なコンピュータ読取可能な記憶媒体であってもよい。
【００８０】
第２の無線ネットワークノード１３は、さらに、メモリ８０８を含んでもよい。メモリは、ビーム、リファレンス信号、テーブル、位置、ビームの特性、信号強度、実行時にここで開示される方法を遂行するアプリケーション、及び類似のもの、といったデータを記憶するために使用される１つ以上のユニットを含む。
【００８１】
ここでのいくつかの方法を実行するために、第１の無線ネットワークノードが提供される。図９は、ワイヤレス通信ネットワーク１において第１の無線ネットワークノード１２と第２の無線ネットワークノード１３との間でワイヤレスデバイス１０のモビリティ手続を可能にするための、第１の無線ネットワークノードを描いたブロック図である。第１の無線ネットワークノード１２は、ここでの方法を実行するように構成される処理回路９０１を含んでもよい。
【００８２】
第１の無線ネットワークノード１２は、第２の無線ネットワークノード１３において接続済みのワイヤレスデバイスについて第２の無線ネットワークノード１３において使用されるアクティブなビームのセットを指し示す標識を第２の無線ネットワークノード１３から受信する、ように構成される。標識は、テーブル内のアクティブなビームのセットのインデックスであってもよく、又はアクティブなビームのセット内の各ビームを指し示す明示的なエンコードであってもよい。第１の無線ネットワークノード１２は、受信モジュール９０２を含んでもよい。処理回路９０１及び／又は受信モジュール９０２は、第２の無線ネットワークノード１３において接続済みのワイヤレスデバイスについて第２の無線ネットワークノード１３において使用されるアクティブなビームのセットを指し示す標識を第２の無線ネットワークノード１３から受信する、ように構成され得る。
【００８３】
第１の無線ネットワークノード１２は、指し示されるアクティブなビームのセット内の１つ以上のビームがワイヤレスデバイス１０に適合すると判定する、ように構成され得る。第１の無線ネットワークノード１２は、判定モジュール９０３を含んでもよい。処理回路９０１及び／又は判定モジュール９０３は、指し示されるアクティブなビームのセット内の１つ以上のビームがワイヤレスデバイス１０に適合すると判定する、ように構成され得る。
【００８４】
第１の無線ネットワークノード１２は、アクティブなビームのセット内の、測定を実行すべき１つ以上のビームを指し示す測定情報を、ワイヤレスデバイス１０へ送信する、ように構成され、その測定情報がワイヤレスデバイス１０のモビリティ手続において使用される。第１の無線ネットワークノード１２は、送信モジュール９０４を含んでもよい。処理回路９０１及び／又は送信モジュール９０４は、アクティブなビームのセット内の、測定を実行すべき１つ以上のビームを指し示す測定情報を、ワイヤレスデバイス１０へ送信する、ように構成されてもよく、その測定情報がワイヤレスデバイス１０のモビリティ手続において使用される。
【００８５】
第１の無線ネットワークノード１２は、アクティブなビームのセット内の１つ以上のビームの測定レポートをワイヤレスデバイス１０から受信する、ように構成され得る。処理回路９０１及び／又は受信モジュール９０２は、アクティブなビームのセット内の１つ以上のビームの測定レポートをワイヤレスデバイス１０から受信する、ように構成され得る。
【００８６】
第１の無線ネットワークノード１２は、無線ネットワークノードとビームとの関係を含むテーブルを構築し及び／又は維持する、ように構成され得る。第１の無線ネットワークノード１２は、テーブルモジュール９０５を含んでもよい。処理回路９０１及び／又はテーブルモジュール９０５は、無線ネットワークノードとビームとの関係を含むテーブルを構築し及び／又は維持する、ように構成され得る。例えばテーブルは、ワイヤレスデバイス１０から受信される測定レポートに基づいて更新されてもよい。
【００８７】
第１の無線ネットワークノード１２は、構築され又は更新されるテーブルに基づいて、指し示されるアクティブなビームのセット内の１つ以上のビームがワイヤレスデバイス１０に適合すると判定する、ように構成され得る。処理回路９０１及び／又は判定モジュール９０３は、構築され又は更新されるテーブルに基づいて、指し示されるアクティブなビームのセット内の１つ以上のビームがワイヤレスデバイス１０に適合すると判定する、ように構成され得る。
【００８８】
第１の無線ネットワークノード１２は、アクティブなビームのセットの標識の提供を求める要求を第２の無線ネットワークノード１３へ送信する、ように構成され得る。処理回路９０１及び／又は送信モジュール９０４は、アクティブなビームのセットの標識の提供を求める要求を第２の無線ネットワークノード１３へ送信する、ように構成され得る。
【００８９】
ここで説明される第１の無線ネットワークノード１２についての実施形態に係る方法は、命令、即ち、ソフトウェアのコード部分を含む、例えばコンピュータプログラム９０６又はコンピュータプログラム製品の手段によりそれぞれ実装され、その命令は、少なくとも１つのプロセッサ上で実行される場合、第１の無線ネットワークノード１２によって実行される通りのここで説明したアクションを当該少なくとも１つのプロセッサに遂行させる。コンピュータプログラム９０６は、コンピュータ読取可能な記憶媒体９０７（例えばディスク又は類似のもの）上に記憶されてもよい。コンピュータプログラムを自身に記憶したコンピュータ読取可能な記憶媒体９０７は、少なくとも１つのプロセッサ上で実行される場合、第１の無線ネットワークノード１２によって実行される通りのここで説明したアクションを当該少なくとも１つのプロセッサに遂行させる命令を含み得る。いくつかの実施形態において、コンピュータ読取可能な記憶媒体は、非一時的なコンピュータ読取可能な記憶媒体であってもよい。
【００９０】
第１の無線ネットワークノード１２は、さらに、メモリ９０８を含む。メモリは、ビーム、リファレンス信号、テーブル、位置、ビームの特性、信号強度、実行時にここで開示される方法を遂行するアプリケーション、及び類似のもの、といったデータを記憶するために使用される１つ以上のユニットを含む。
【００９１】
通信設計に詳しい者らにより容易に理解されるように、上記機能手段又はモジュールは、デジタルロジックを用いて実装されてもよく、及び／又は、１つ以上のマイクロコントローラ、マイクロプロセッサ若しくは他のデジタルハードウェアを用いて実装されてもよい。いくつかの実施形態において、多様な機能のいくつか又は全てが、単一のＡＳＩＣ（application-specific  integrated  circuit）などにおいて一緒に実装されてもよく、又は、適切なハードウェア及び／若しくはソフトウェアのインタフェースを間に有する２つ以上の別個のデバイスにおいて実装されてもよい。機能のいくつかは、例えば、無線ネットワークノードの他の機能コンポーネントと共有されるプロセッサ上に実装されてもよい。
【００９２】
代替的に、議論した処理手段の機能的なエレメントのいくつかが、他のエレメントが適切なソフトウェア又はファームウェアとの関連においてソフトウェアを実行するためのハードウェアと共に提供される一方で、専用のハードウェアの使用を通じて提供されてもよい。よって、ここで使用される通りの“プロセッサ”又は“コントローラ”との用語は、ソフトウェアを実行可能なハードウェアに排他的に言及しているのではなく、限定無しで、ＤＳＰ（digital  signal  processor）ハードウェア、ソフトウェアを記憶するためのＲＯＭ（read-only  memory）、ソフトウェア及び／若しくはプログラム又はアプリケーションデータを記憶するためのランダムアクセスメモリ、並びに不揮発性メモリを暗黙的に含んでよい。従来型であれ及び／又は特製であれ、他のハードウェアもまた含まれてよい。通信受信機の設計者らは、それら設計上の選択時に特有のコスト、性能及びメンテナンスのトレードオフを認識するであろう。
【００９３】
上述した説明及び添付図面はここで教示した方法及び装置の非限定的な例を表現していることが認識されるであろう。そのため、ここで教示した独創的な装置及び技法は、上述した説明及び添付図面によっては限定されない。代わりに、ここでの実施形態は、以下の特許請求の範囲及びそれらの法的な均等物によってのみ限定される。
【図１】
2018531540.tif 000003
【図２】
2018531540.tif 000004
【図３】
2018531540.tif 000005
【図４】
2018531540.tif 000006
【図５】
2018531540.tif 000007
【図６】
2018531540.tif 000008
【図７】
2018531540.tif 000009
【図８】
2018531540.tif 000010
【図９】
2018531540.tif 000011
【国際調査報告】
2018531540.tif 000012
2018531540.tif 000013
2018531540.tif 000014
2018531540.tif 000015